(57)【要約】【課題】幼児の好みに応じて、跨るように着座したり座るような姿勢で着座したりすることのできる補助便座を提供する。【解決手段】補助便座１０の補助便座本体２０は略長環状に形成される。補助便座本体２０の座面２１は、略平坦に形成される。補助便座本体２０の前後の内縁には、幼児の排尿の飛散を防止する飛散防止部２１ｃが形成される。前側飛散防止部２１ｃ１は、後側飛散防止部２１ｃ２よりも大きく形成されている。そして、補助便座本体２０の下面には、前後それぞれ二箇所ずつに当接固定部４０が設けられている。当接固定部４０により、補助便座１０は大人用の洋式便器の便座の裏面と当接可能にされるとともに固定される。当接固定部４０は、固定位置調節手段６０により便座への取り付けの際に位置調節される。【選択図】  図１
2015160096.tif 000002
【特許請求の範囲】
【請求項１】
略長環状に形成され、長手方向の座面を略平坦にして形成される補助便座本体と、
前記座面の前方にのみ設けられるハンドルと、
前記補助便座本体の下面に形成され、大人用便器に載置した際に前記大人用便器の便座面と当接して前記補助便座本体を支持する支持部と、
前記補助便座本体の下面に前後に二箇所ずつ設けられ、前記大人用便器の便座の内縁と当接可能に上下方向に長尺棒状に形成される棒状部と、前記大人用便器の便座の下面と当接可能に前記棒状部の下端側から突出する当接部と、を有する棒状当接部材と、
各前記棒状当接部材を移動させて、各前記棒状当接部材の固定位置を調節可能に形成される四個の固定位置調節手段と、
を有することを特徴とする補助便座。
【請求項２】
各前記固定位置調節手段は、
前記棒状当接部材の上端側に固設される歯車部と、
前記歯車部の上方に設けられ、前記補助便座本体の下面と当接するとともに、前記棒状当接部材を軸心回りに回転自在かつ上下方向にガイドするガイド部材と、
前記ガイド部材と前記歯車部を離間させる方向に付勢する弾性部材と、
前記補助便座本体の下面に固設され、前記棒状当接部材を移動方向にガイドするガイド孔を有するとともに、前記歯車部と当接して前記棒状当接部材の下方への移動を規制する平板状に形成されたカバー部材と、
前記カバー部材の上面に形成され、前記歯車部と係脱可能に歯合するよう前記棒状当接部材の移動方向にラック状に前記歯車部の両側に形成された歯合部と、を有することを特徴とする請求項１記載の補助便座。
【請求項３】
前記歯合部における歯の上端が傾斜して形成されていることを特徴とする請求項２に記載の補助便座。
【請求項４】
前記補助便座本体の上面における前後の内縁部には、外側に凸湾曲したドーム状に形成される飛散防止部が設けられ、前側の前記飛散防止部は、側面視における高さが後側の前記飛散防止部よりも高いことを特徴とする請求項１乃至請求項３の何れか記載の補助便座。
【発明の詳細な説明】
【技術分野】
【０００１】
本発明は、幼児用の補助便座に関し、さらに詳細には、洋式便器の便座に取り付け可能な補助便座である。
【背景技術】
【０００２】
住居等に一般的に設置される便器は、幼児に対して大きく形成されているので、幼児は使用することができない。このため、従来から、幼児が排泄する際にはおまるが使用されてきた。また、現在においては、洋式便器が普及している。よって、この洋式便器を幼児が使用できるように、洋式便器の便座に取り付ける補助便座が利用されている。洋式便器の便座は種々の形や大きさのものがある。このため、補助便座には、洋式便器の便座に固定できるように、調節可能な固定手段を備えている。
【０００３】
例えば、特許文献１に開示される幼児用の補助便座には、後部下方に突出して、洋式便器の便座の下面に当接可能な第三脚部が固設されている。一方、補助便座の下面前方には、洋式便器の便座の内縁と当接して固定する固定手段となる調節可能に形成された脚部が設けられている。そして、補助便座の座面の前方には、幼児が使用時に把持することができるハンドルが形成されている。
【先行技術文献】
【特許文献】
【０００４】
【特許文献１】実用新案登録第３１２５０３７号公報
【発明の概要】
【発明が解決しようとする課題】
【０００５】
特許文献１に開示される補助便座を使用する際は、幼児は補助便座に跨って座ることとなる。このとき、幼児の両足は、洋式便器の便座も跨ることとなるので、幼児は両足を大きく開いて補助便座に座らなければならない。このように両足を大きく開いて座ることで上手く排泄ができなかったり、補助便座に座るのを嫌ったりする幼児も存在し、そのような幼児に対しては補助便座を使用することが困難である。また、跨って座る補助便座に座る際に、幼児はズボンや下着をすべて脱いで座ることとなり、手間が掛かることになった。
【課題を解決するための手段】
【０００６】
本発明に係る補助便座は、略長環状に形成され、長手方向の座面を略平坦にして形成される補助便座本体と、前記座面の前方にのみ設けられるハンドルと、前記補助便座本体の下面に形成され、大人用便器に載置した際に前記大人用便器の便座面と当接して前記補助便座本体を支持する支持部と、前記補助便座本体の下面に前後に二箇所ずつ設けられ、前記大人用便座の内縁と当接可能に上下方向に長尺棒状に形成される棒状部と、前記大人用便座の下面と当接可能に前記棒状部の下端側から突出する当接部と、を有する棒状当接部材と、各前記棒状当接部材を移動させて、各前記棒状当接部材の固定位置を調節可能に形成される固定位置調節手段と、を有するように形成した。
【０００７】
また、各前記固定位置調節手段は、前記棒状当接部材の上端側に固設される歯車部と、前記歯車部の上方に設けられ、前記補助便座本体の下面と当接するとともに、前記棒状当接部材を軸心回りに回転自在かつ上下方向にガイドするガイド部材と、前記ガイド部材と前記歯車部を離間させる方向に付勢する弾性部材と、前記補助便座本体の下面に固設され、前記棒状当接部材を移動方向にガイドするガイド孔を有するとともに、前記歯車部と当接して前記棒状当接部材の下方への移動を規制する平板状に形成されたカバー部と、前記カバー部の上面に形成され、前記歯車部と係脱可能に歯合するよう前記棒状当接部材の移動方向にラック状に前記歯車部の両側に形成された歯合部と、を有するようにした。
【０００８】
また、前記歯合部における歯の上端は、傾斜して形成されるようにした。
【０００９】
また、前記補助便座本体の上面における前後の内縁部には、外側に凸湾曲したドーム状に形成される飛散防止部が設けられ、前側の前記飛散防止部は、側面視における高さが後側の前記飛散防止部よりも高くした。
【発明の効果】
【００１０】
本発明の補助便座は、座面の前方にハンドルを設けるとともに、長手方向の座面を略平坦に形成した。そして、大人用の便器である洋式便器の便座に補助便座を固定する棒状当接部材を、前後に二箇所ずつ設けた。そして、この棒状当接部材は、固定位置調節手段により移動して固定できるようにした。これにより、本発明に係る補助便座は、従来通りハンドルがある前方を前向きとして大人用の洋式便器の便座に取り付けることができるとともに、ハンドルがある側を後側にしても大人用の洋式便器の便座に取り付けることができる。
【００１１】
そして、ハンドルがある前方を前向きとして大人用の洋式便器の便座に取り付けた場合には、従来通り、幼児は補助便座に跨るようにして着座することができる。一方、ハンドルがある側を後側にして大人用の洋式便器の便座に取り付けた場合には、幼児は両足を揃えて椅子に座るような姿勢で着座することができ、ズボンや下着をすべて脱ぐ必要がない。このように、補助便座に跨って着座することもできるし、椅子に座るようにして着座することができるので、幼児の好みによって着座姿勢を選択することができ、排泄の際に幼児がぐずることを軽減することができる。よって、幼児の成長を促進するとともに、幼児を世話する保護者の育児負担を軽減することができる。
【００１２】
また、固定位置調節手段は、棒状当接部材に設けた歯車部と、歯車部と歯合して、棒状当接部材の移動方向にラック状に形成された歯合部を歯車部の両側に設けた。そして、棒状当接部材は下方に向けて付勢するように形成した。これにより、棒状当接部材は、棒状当接部材を上方に押し込むことにより移動させることができる。そして、棒状当接部材から手を離せば、棒状当接部材を固定することができる。よって、固定位置調節手段を簡単な構成で形成することができるとともに、補助便座を前向き又は後ろ向きのいずれの向きに便座に取り付ける場合であっても、棒状当接部材の固定操作が同一となり、補助便座の便座への取り付けが容易となる。
【００１３】
また、歯合部の歯の上端を傾斜して形成した。これにより、棒状当接部材を押し込む手を離した場合に、歯車部の歯がスムーズに歯合部の歯の間に導かれるので、棒状当接部材を確実に固定することができる。
【００１４】
また、略長環状に形成される補助便座本体の前後の内縁部に、排尿の飛散を防止する飛散防止部を設けた。そして、前側の飛散防止部の高さを、後側の飛散防止部の高さより高く形成した。これにより、補助便座を前向きにして跨って座ることが多い男児の場合には確実に排尿の飛散が防止されるとともに、補助便座を後ろ向きにして座って排泄をすることが多い女児の場合には、着座姿勢を阻害せずに排尿の飛散を十分に防止できる。
【図面の簡単な説明】
【００１５】
【図１】本発明に係る補助便座の前方斜視図である。
【図２】本発明に係る補助便座の下方斜視図である。
【図３】本発明に係る補助便座の側面図である。
【図４】本発明に係る補助便座の下面図である。
【図５】本発明に係る補助便座の図４におけるＶ−Ｖ断面図であり、棒状当接部材の動作を示す図である。（ａ）は棒状当接部材が固定されている状態を示し、（ｂ）は棒状当接部材が移動可能な状態を示す。
【図６】本発明に係る補助便座を大人用便座に取り付けた状態を示す下面図である。
【図７】本発明に係る補助便座を大人用便座に取り付けた状態を示す側面図で、（ａ）は補助便座のハンドルを前に向けて取り付けた状態を示し、（ｂ）は補助便座のハンドルを後に向けて取り付けた状態を示す。
【図８】本発明に係る補助便座をおまるとして使用した場合の外観斜視図である。
【発明を実施するための形態】
【００１６】
本発明に係る補助便座１０の実施形態を図１〜図８に基づいて説明する。
図１は補助便座１０の左側上方の斜視図である。なお、以下の説明においては、ハンドル部３０側を前方向とし、反対方向を後方向とする。また、座面２１側を上方向、その反対側を下方向とする。そして、ハンドル部３０を前にして着座したときの右手側を右方向、左手側を左方向とする。なお、補助便座１０では、ねじ、ばね等を除く全体の部材が樹脂の射出成型により形成されている。
【００１７】
図１において、補助便座１０は、座面２１を有する補助便座本体２０を有している。また、補助便座本体２０の前方上面には、ハンドル部３０を立設している。補助便座１０は、ハンドル部３０を前側にして大人用の洋式便器の便座に取り付けた場合には、ハンドル部３０を把持して跨るようにして着座することができる。また、ハンドル部３０を後側にして大人用の洋式便器の便座に取り付けた場合には、足を大きく開くことなく、座るような姿勢で着座することができる。
【００１８】
補助便座本体２０の下面には、下方に向けて立設する棒状当接部材４１を有する当接固定部４０が、前後二箇所ずつ、合計四箇所に設けられている。当接固定部４０は、棒状当接部材４１を前後方向に移動させて固定位置を調節する固定位置調節手段６０（図２参照）により棒状当接部材４１が補助便座本体２０に取り付けられている。そして、補助便座本体２０は、前後に長い略長環状に形成されている。補助便座本体２０の上面には座面２１が形成されている。座面２１の右側及び左側における長手方向に形成される臀部支持座面２１ａは、略平坦に形成されている。各臀部支持座面２１ａの外縁部は、中央部分が内側に向けて窪むようにして湾曲して形成されている。そして、左右の臀部支持座面２１ａと後方で連続して接続する後部座面２１ｂも、略平坦に形成されている。
【００１９】
補助便座本体２０の内縁の前後それぞれには、排尿時の飛散を防止する飛散防止部２１ｃが形成されている。前方に形成される前側飛散防止部２１ｃ１は、半球のドームを１／３程度にカットするようにして、前方外側に凸状に湾曲して形成されている。後方に形成される後側飛散防止部２１ｃ２も、同様に半球のドームを１／３程度にカットするようにして、後方外側に凸状に湾曲して形成されている。前側飛散防止部２１ｃ１の幅及び高さは、後側飛散防止部２１ｃ２の幅及び高さよりも大きく形成されている。
【００２０】
補助便座本体２０の座面２１の前方には、ハンドル部３０が立設する。ハンドル部３０は、座面２１の前方に立設するハンドル支持部３１と、このハンドル支持部３１上部に円環状に形成されるハンドル部材３２と、が設けられている。補助便座本体２０の外周には、大人用の洋式便器の座面に取り付けの際に傷を付けないように、外周ガード２２が形成されている。
【００２１】
次に、図２に基づいて説明する。図２は下方斜視図である。補助便座本体２０の内縁には、内縁の長円形に倣うようにして下方に向けて筒状に立設する排尿ガード２３が形成されている。排尿ガード２３により、排泄物がガイドされるとともに、排泄物が周囲に飛散することを防止している。
【００２２】
補助便座本体２０の下面には、前後二箇所ずつ合計四箇所に支持脚部５０が設けられている。支持脚部５０は、大人用の洋式便器の座面に補助便座１０を取り付けた際に、大人用の洋式便器の座面と当接して補助便座１０を支持する。支持脚部５０には、補助便座本体２０の下面から下方に向けて突出する脚部ベース５１の外周段部に、外形を円錐台形状とする脚部部材５２が形成されている。脚部部材５２の下方の外周から突出する接続部５２ａは、外周ガード２２と脚部部材５２とを接続して、これらを一体的に形成する。すなわち、脚部部材５２、外周ガード２２及び接続部５２ａは、補助便座本体２０よりも硬度の低い材料にて、補助便座本体２０とともに二色成形（ダブルモールド）により形成される。
【００２３】
補助便座本体２０の下面には、前述の通り、前後二箇所ずつ合計四箇所に当接固定部４０が設けられている。図２における補助便座１０の後方左側の当接固定部４０についての分解斜視図に示すように、当接固定部４０は、棒状当接部材４１と固定位置調節手段６０とで構成し、固定位置調節手段６０は、歯合部４２ｃを有するカバー部材４２と、連結支持部材４３と、ガイド部材４４と、弾性部材である圧縮コイルばね４５と、で構成している。この当接固定部４０は、補助便座本体２０の下面から下方に向けて立設する固定取付部４６により補助便座本体２０に取り付けられる。なお、当接固定部４０の構造は後述する。また、補助便座本体２０の下面には、放射状に複数のリブ２４が形成され、補助便座本体２０が補強されている。
【００２４】
図３は補助便座１０を側面から見た図である。使用時に幼児の臀部が着座する臀部支持座面２１ａは、略平坦に形成されるが、微視的には、前後方向の略中央付近が前後の端部よりも低くなるように緩やかに下方に向けて湾曲している。これにより、着座時に幼児の臀部をフィットさせることができる。また、前側飛散防止部２１ｃ１の高さは、後側飛散防止部２１ｃ２の高さよりも高く形成されている。前側飛散防止部２１ｃ１の高さは、後側飛散防止部２１ｃ２の高さの約二倍程度に形成されている。
【００２５】
このように前後の飛散防止部２１ｃは高さが異なるが、前側飛散防止部２１ｃ１及び後側飛散防止部２１ｃ２共に、排尿時の飛散防止の機能を有する。しかしながら、男児はハンドル部３０を把持して跨って着座することを好むので、大きめの前側飛散防止部２１ｃ１がより効果的である。一方、椅子に座るような姿勢で座ることを好むのは女児に多いので、前側飛散防止部２１ｃ１よりも小さい後側飛散防止部２１ｃ２としても飛散防止には十分であるとともに、椅子に座るような姿勢の場合には幼児の股部分に後側飛散防止部２１ｃ２が位置するので、後側飛散防止部２１ｃ２はできるだけ小さい方が邪魔にならない。
【００２６】
図４は補助便座１０を下面から見た図である。補助便座本体２０の外形は、前後に長い略長環状に形成されている。補助便座本体２０の外形は、中央付近が内側に向けて湾曲して形成されている。よって、補助便座本体２０の前側及び後側の外形は、左右に張り出し、前後及び左右が略対称に形成されている。ゆえに、補助便座本体２０は前後どちら側を向いても座り易い。また、前述の通り、当接固定部４０及び支持脚部５０は、前後二箇所ずつ合計四箇所に設けられている。当接固定部４０は、固定位置調節手段６０を有している。当接固定部４０は、固定位置調節手段６０により、棒状当接部材４１を前後に移動させて調節して固定できるように形成されている。
【００２７】
次に、図５（ａ）及び（ｂ）により当接固定部４０の構造及び動作を詳細に説明する。図５（ａ）及び（ｂ）は図４のＶ−Ｖ断面図である。図５（ａ）は棒状当接部材４１が固定されている状態を示し、図５（ｂ）は棒状当接部材４１が移動可能な状態を示す。補助便座本体２０の下方に向けて設けられる棒状当接部材４１は、縦断面を略Ｌ字状に形成されている。棒状当接部材４１は、下方に向けて長尺棒状に伸びる棒状部４１ａと、棒状部４１ａの下端から横方向に突出する当接部４１ｂが形成されている。図４に示すように、当接部４１ｂの平面視における外形は、棒状部４１ａの外方向に位置する大径円と、棒状部４１ａと同心に位置する小径円を接線で接続した形状に形成されている。そして、大径円の部分には、平面視矩形の窪みが設けられている。また、図５に示すように、棒状部４１ａは、上下に貫通する貫通孔４１ａ１が形成されている。貫通孔４１ａ１の上下方向中間位置には、環状段部４１ａ２が形成されている。
【００２８】
一方、連結支持部材４３は、外形を横断面円形に形成される軸部４３ａと、平歯車状に形成された歯車部４３ｂとが一体として形成されている。軸部４３ａは、棒状当接部材４１の棒状部４１ａ内に嵌め込まれている。軸部４３ａは、先端側を小径部４３ａ１として形成され、基端側（換言すれば歯車部４３ｂ側）を大径部４３ａ２として形成されている。軸部４３ａの大径部４３ａ２は、基端側に向かって漸次大径化するテーパー状に形成されている。よって、軸部４３ａの大径部４３ａ２は棒状部４１ａの基端側の貫通孔４１ａ１にくさび効果により強固に嵌入される。そして、連結支持部材４３は、棒状当接部材４１の棒状部４１ａの端部が歯車部４３ｂに当接するように固定されている。このようにして、棒状当接部材４１と連結支持部材４３は一体的に組み合わされている。
【００２９】
連結支持部材４３の上方には、ガイド部材４４が設けられている。ガイド部材４４には、円盤状に形成されるベースプレート４４ａと、ベースプレート４４ａから下方に向けて伸びるガイド部４４ｂとが形成されている。ベースプレート４４ａの上面は、補助便座本体２０の下面に形成された前後に二本伸びるレール状に突出するレール部４８と当接し、ガイド部材４４が平行に移動できるように形成されている。また、ガイド部４４ｂは、断面形状を円形とする棒状体とされる。そして、ガイド部４４ｂは、連結支持部材４３の軸部４３ａに形成された孔部４３ａ３に摺動自在に挿入されている。よって、棒状当接部材４１はガイド部材４４により上下方向に移動自在にガイドされている。
【００３０】
また、棒状当接部材４１は、ガイド部４４ｂの軸心回りに回転自在に支持されている。そして、ガイド部材４４のベースプレート４４ａと、連結支持部材４３の歯車部４３ｂとの間には、ガイド部４４ｂの外周に巻回されるようにして、弾性部材である圧縮コイルばね４５が設けられている。圧縮コイルばね４５により、ガイド部材４４と棒状当接部材４１とは離間する方向に付勢されている。なお、棒状当接部材４１の当接部４１ｂの下面を除く外面には、大人用の洋式便器の便座の内縁と当接した際に洋式便器の便座を傷つけないように軟質の樹脂被覆４７が被せられている。
【００３１】
また、補助便座本体２０の下面からは、前後に長い略長方形の筒状に形成された固定取付部４６が形成されている。そして、この固定取付部４６には、カバー部材４２がねじ固定されている。カバー部材４２には、平板状のカバー部４２ａが形成されている。平板状のカバー部４２ａには、前後に長いガイド孔部４２ｂが形成されている。ガイド孔部４２ｂには、棒状当接部材４１の棒状部４１ａが挿通されている。ガイド孔部４２ｂにより、棒状当接部材４１は移動方向となる前後方向にガイドされている。そして、カバー部４２ａの上面と、歯車部４３ｂの下面とが当接して、棒状当接部材４１の下方への移動が規制されている。
【００３２】
カバー部４２ａの上面には、左右両側前後に亘って、ラック状に形成された歯合部４２ｃが形成されている。左右の歯合部４２ｃは、それぞれの歯が対向するように設けられている。歯合部４２ｃの各歯の上端には両側に傾斜部４２ｃ１が形成されている。傾斜部４２ｃ１は、歯合部４２ｃの各歯の先端が鋭角をなす向きに傾斜される。また、歯合部４２ｃの上端とベースプレート４４ａの下面とは、所定の間隙Ｓが形成されている。そして、歯合部４２ｃの歯は、歯車部４３ｂの歯と歯合する。これにより、図５（ａ）に示す状態においては、歯車部４３ｂの両側で歯合部４２ｃと歯車部４３ｂが歯合しているので、棒状当接部材４１は、前後移動及びガイド部４４ｂの軸心回りの回転運動が規制される。
【００３３】
一方、間隙Ｓは歯車部４３ｂの厚みより僅かに大きく、歯車部４３ｂと歯合部４２ｃとの歯合が解除できる程度の間隙として形成されている。よって、図５（ｂ）に示すように、歯車部４３ｂが間隙Ｓに位置しているときは、歯車部４３ｂと歯合部４２ｃとの歯合が解除されている。この場合、棒状当接部材４１はガイド孔部４２ｂに沿って前後に移動可能、かつ、ガイド部４４ｂの軸心回りに回転可能である。さらに、歯車部４３ｂと歯合部４２ｃの歯合が解除された状態から歯合する状態に移行するとき、歯車部４３ｂの歯は、歯合部４２ｃの傾斜部４２ｃ１によりガイドされるので、歯車部４３ｂは歯合部４２ｃとスムーズに歯合する。なお、傾斜部４２ｃ１は、本実施形態の形状のほか、外側に湾曲させる、片側のみ設ける等に形成することができる。以上の構成による固定位置調節手段６０によれば、棒状当接部材４１を圧縮コイルばね４５の付勢力に抗して押し込むことにより、棒状当接部材４１を前後方向への移動と回転操作をすることができる。そして、棒状当接部材４１の押し込みを解除すれば、棒状当接部材４１の位置を固定できると共に当接部４１ｂの向きも固定できる。
【００３４】
次に、補助便座１０の大人用の洋式便器への取り付けについて説明する。補助便座１０の大人用の洋式便器への取り付けは、図２に示す前側二箇所の棒状当接部材４１の棒状部４１ａＦと当接部４１ｂＦ及び後側二箇所の棒状当接部材４１の棒状部４１ａＲと当接部４１ｂＲの位置を調節して取り付ける。以下、図６及び図７（ａ）、（ｂ）により、補助便座１０の大人用の洋式便器１００への取り付けを説明する。図６及び図７（ａ）は、補助便座１０の前方を大人用の洋式便器１００の前方に向けて便座１１０に取り付けた状態の図である。
【００３５】
補助便座１０を前方に向けた取り付けは、先ず、四箇所すべての棒状当接部材４１を、補助便座１０の後方限まで移動させておく。このとき、前側二箇所の当接部４１ｂＦは、便座１１０の開口部と干渉しないように内側に向けておく。また、後側二箇所の棒状当接部材４１の当接部４１ｂＲは、便座１１０の下面と当接可能となるように回転させて調節しておく。またこのとき、後側二箇所の棒状部４１ａＲは、便座１１０の内縁に当接させておく。
【００３６】
この状態で、便座１１０の開口部に後側二箇所の当接部４１ｂＲを挿入し、便座１１０上に補助便座１０を載置する。その後、前側二箇所の棒状部４１ａＦを前方に移動させて便座１１０の内縁に当接させる。このようにして補助便座１０を設置すれば、後側の棒状当接部材４１の当接部４１ｂＲが便座１１０の下面と当接可能な状態となるので、補助便座１０の転倒が防止される。また、前側の棒状部４１ａＦを便座１１０の内縁と当接させることにより、補助便座１０は便座１１０に固定される。なお、便座１１０の形状によっては、さらに前後の棒状部４１ａＦ、４１ａＲを移動させて調節することにより、補助便座１０を固定することができる。
【００３７】
また、図７（ｂ）のように、補助便座１０の後方を洋式便器１００の前方側に向けて（換言すれば、ハンドル部３０が洋式便器１００の後側に位置するように）洋式便器１００の便座１１０に載置する場合には、前側の当接部４１ｂＦが便座１１０に対して後側になるので、この前側の当接部４１ｂＦを便座１１０の下面と当接可能となるよう回転して調節する。そして、後側の棒状部４１ａＲを便座１１０の開口部内縁と当接するように前方に移動させる。このようにして、補助便座１０を洋式便器１００の便座１１０に載置する。
【００３８】
このようにして補助便座１０は、ハンドル部３０を洋式便器１００に対して前方に向けて設置することもできるし、後方に向けて設置することもできる。そして、図７（ａ）に示すようにハンドル部３０を前方に向けて設置した場合には、幼児はハンドルを把持して補助便座１０に跨るようにして着座できる。このとき洋式便器１００の便座１１０は、図６に示したように前方に障害物がなく、ハンドル部３０を跨ぐようにしておまるに近い感覚で洋式便器１００を使用できる。一方、図７（ｂ）に示すように、ハンドル部３０を後方に向けて設置した場合には、幼児は足をほぼ揃えるようにして、椅子に座る姿勢で補助便座１０に着座できる。このように、幼児の好みに応じて、補助便座１０は着座姿勢を選択することができる。
【００３９】
また、図８は、補助便座１０の下側に便器桶２００を取り付けて、おまるとして使用する場合を示す。便器桶２００の外周形状は、平面視において補助便座本体２０の外形と略同一となるように形成されている。補助便座１０の補助便座本体２０の開口部には、蓋７０を取り付けることができる。おまるとして使用する場合も、補助便座１０の外形を前後及び左右に略対称としているため、ハンドル部３０を把持して補助便座１０に跨って着座することもできるし、ハンドル部３０を背中側にして座るように着座することもできる。なお、おまるとして使用する際には、左右の臀部支持座面２１ａにおける外縁部が内側に窪んでいるので、跨るようにして着座した際に、幼児の両足と補助便座１０とが干渉し難く、着座しやすいものとなっている。
【００４０】
以上の通り、本発明に係る補助便座１０は、ハンドル部３０を把持して跨るようにして着座することもできるし、ハンドル部３０を背中側にすれば椅子に座るような姿勢で着座することもできる。よって、幼児の好みに応じで着座姿勢を選択することができる。そして、補助便座１０の大人用の便座１１０への取り付けは、跨る姿勢でも着座する姿勢でも棒状当接部材４１を同じように調節操作して取り付けることができるので、容易に着座姿勢を選択することができる。
【００４１】
以上、本発明の実施形態を説明したが、本発明はこれに限定されるものではなく、本発明の範囲内において適宜変更を加えることが可能である。例えば、棒状当接部材４１を付勢する弾性体として、本実施形態においては圧縮コイルばね４５を用いたが、板バネ等の他の弾性体としてもよい。また、本実施例においては、棒状当接部材４１を前後に移動させて固定することができるように形成したが、便座１１０の開口部の形状に合わせて、左右に移動可能とさせたり、斜め方向に移動可能とさせたりすることができる。
【符号の説明】
【００４２】
１０  補助便座
２０  補助便座本体
２１  座面                    ２１ａ  臀部支持座面
２１ｂ  後部座面              ２１ｃ  飛散防止部
２１ｃ１  前側飛散防止部      ２１ｃ２  後側飛散防止部
２１ｄ  隆起部                ２２  外周ガード
２３  排尿ガード              ２４  リブ
３０  ハンドル部
３１  ハンドル支持部          ３２  ハンドル部材
４０  当接固定部
４１  棒状当接部材            ４１ａ  棒状部
４１ａ１  貫通孔              ４１ａ２  環状段部
４１ｂ  当接部                ４２  カバー部材
４２ａ  カバー部              ４２ｂ  ガイド孔部
４２ｃ  歯合部                ４２ｃ１  傾斜部
４３  連結支持部材            ４３ａ  軸部
４３ａ１  小径部              ４３ａ２  大径部
４３ａ３  孔部                ４３ｂ  歯車部
４４  ガイド部材              ４４ａ  ベースプレート
４４ｂ  ガイド部              ４５  圧縮コイルばね
４６  固定取付部              ４７  樹脂被覆
４８  レール部
５０  支持脚部
５１  脚部ベース              ５２  脚部部材
５２ａ  接続部
６０  固定位置調節手段
７０  蓋
１００  洋式便器              １１０  便座
２００  便器桶
【図１】
2015160096.tif 000003
【図２】
2015160096.tif 000004
【図３】
2015160096.tif 000005
【図４】
2015160096.tif 000006
【図５】
2015160096.tif 000007
【図６】
2015160096.tif 000008
【図７】
2015160096.tif 000009
【図８】
2015160096.tif 000010